(57)【要約】【課題】作業者が作業現場領域に残っているか否かを容易に特定することができる作業現場管理システムを提供する。【解決手段】本発明に係る作業現場管理システムは、予め設定した作業現場領域に対する作業者の入出場を管理するものである。また、上記作業現場管理システムは、作業現場領域に対して作業者の入出場を許容するゲートと、作業者個々が携帯し、識別情報が記録された第１記録媒体と、ゲートにおいて作業者が通過した場合に第１記録媒体に記録された第１識別情報の読み取りを行う読取手段（第１ガードリーダ手段）と、読取手段の読み取った第１識別情報に基づいて第１通過記録を生成する生成手段（第３情報管理部）１４３と、出力要求が与えられた場合に生成手段の生成した第１通過記録の読み出しを行い、当該読み出した第１通過記録の出力を行う出力手段１３５とを備えている。【選択図】        図４
2008112219.tif 000002
【特許請求の範囲】
【請求項１】
予め設定した作業現場領域に対する作業者の入出場を管理する作業現場管理システムであって、
前記作業現場領域に対して作業者の入出場を許容する第１ゲートと、
作業者個々が携帯し、第１識別情報が記録された第１記録媒体と、
前記第１ゲートにおいて作業者が通過した場合に前記第１記録媒体に記録された第１識別情報の読み取りを行う第１読取手段と、
前記第１読取手段の読み取った第１識別情報に基づいて第１通過記録を生成する第１生成手段と、
出力要求が与えられた場合に前記第１生成手段の生成した第１通過記録の読み出しを行い、当該読み出した第１通過記録の出力を行う出力手段と
を備えることを特徴とする作業現場管理システム。
【請求項２】
前記第１生成手段は、前記第１識別情報に、作業者が第１ゲートを通過した時分を関連付けて第１通過記録を生成するものであることを特徴とする請求項１に記載の作業現場管理システム。
【請求項３】
前記作業現場領域の内部に設定した複数の作業領域に対する作業者の入出場をそれぞれ許容する第２ゲートと、
第２識別情報が記録され、作業者個々に携帯させた第２記録媒体と、
前記第１記録媒体の第１識別情報と、前記第２記録媒体の第２識別情報とを関連付けて、第１識別情報と第２識別情報との対応記録を生成する第２生成手段と、
前記第２ゲートにおいて作業者が通過した場合に前記第２記録媒体に記録された第２識別情報の読み取りを行う前記第２読取手段と
を備えて成り、かつ
前記第１生成手段は、前記第２読取手段の読み取った第２識別情報および前記第２生成手段の生成した対応記録から第１識別情報に基づいて第２通過記録を作業領域毎に生成するものであり、
前記出力手段は、出力要求が与えられた場合に前記第１生成手段の生成した第２通過記録の読み出しを行い、当該読み出した第２通過記録の出力を作業領域毎に行うものであることを特徴とする請求項１または２に記載の作業現場管理システム。
【請求項４】
前記第１生成手段は、前記第１識別情報に、作業者が第２ゲートを通過した時分を関連付けて第２通過記録を生成するものであることを特徴とする請求項３に記載の作業現場管理システム。
【発明の詳細な説明】
【技術分野】
【０００１】
本発明は、予め設定した作業現場領域に対する作業者の入出場を管理する作業現場管理システムに関するものである。
【背景技術】
【０００２】
従来、例えばビルを建設する作業現場では、例えば壁を設けることによって作業現場領域を設定し、その作業現場領域の出入口に警備員を配置し、各作業者には入場証をそれぞれ携帯させ、警備員によって入場証を携帯している作業者にのみ、作業現場に入ることを許可させることによって、作業現場領域に入ることができる人間を管理していた。
【発明の開示】
【発明が解決しようとする課題】
【０００３】
ところで、作業現場におけるその日の作業が終了する時間となった場合、警備員は、上記作業現場領域の内部に作業者が残っていないか確認する必要があり、その確認に手間がかかる問題があった。特に、ビルを建設する作業現場領域は広大であり、その作業現場領域を一通り確認するには大変な手間がかかる問題があった。
【０００４】
本発明は、上記に鑑みてなされたものであって、作業者が作業現場領域に残っているか否かを容易に特定することができる作業現場管理システムを提供することにある。
【課題を解決するための手段】
【０００５】
上述した課題を解決し、目的を達成するために、本発明は、予め設定した作業現場領域に対する作業者の入出場を管理する作業現場管理システムであって、前記作業現場領域に対して作業者の入出場を許容する第１ゲートと、作業者個々が携帯し、第１識別情報が記録された第１記録媒体と、前記第１ゲートにおいて作業者が通過した場合に前記第１記録媒体に記録された第１識別情報の読み取りを行う第１読取手段と、前記第１読取手段の読み取った第１識別情報に基づいて第１通過記録を生成する第１生成手段と、出力要求が与えられた場合に前記第１生成手段の生成した第１通過記録の読み出しを行い、当該読み出した第１通過記録の出力を行う出力手段とを備えることを特徴とする。
【０００６】
また、本発明の請求項２に係る作業現場管理システムは、上記請求項１において、前記第１生成手段は、前記第１識別情報に、作業者が第１ゲートを通過した時分を関連付けて第１通過記録を生成するものであることを特徴とする。
【０００７】
また、本発明の請求項３に係る作業現場管理システムは、上記請求項１または２において、前記作業現場領域の内部に設定した複数の作業領域に対する作業者の入出場をそれぞれ許容する第２ゲートと、第２識別情報が記録され、作業者個々に携帯させた第２記録媒体と、前記第１記録媒体の第１識別情報と、前記第２記録媒体の第２識別情報とを関連付けて、第１識別情報と第２識別情報との対応記録を生成する第２生成手段と、前記第２ゲートにおいて作業者が通過した場合に前記第２記録媒体に記録された第２識別情報の読み取りを行う前記第２読取手段とを備えて成り、かつ前記第１生成手段は、前記第２読取手段の読み取った第２識別情報および前記第２生成手段の生成した対応記録から第１識別情報に基づいて第２通過記録を作業領域毎に生成するものであり、前記出力手段は、出力要求が与えられた場合に前記第１生成手段の生成した第２通過記録の読み出しを行い、当該読み出した第２通過記録の出力を作業領域毎に行うものであることを特徴とする。
【０００８】
また、本発明の請求項４に係る作業現場管理システムは、上記請求項３において、前記第１生成手段は、前記第１識別情報に、作業者が第２ゲートを通過した時分を関連付けて第２通過記録を生成するものであることを特徴とする。
【発明の効果】
【０００９】
本発明にかかる作業現場管理システムは、作業現場領域に対して作業者の入出場を許容する第１ゲートと、作業者個々が携帯し、第１識別情報が記録された第１記録媒体と、第１ゲートにおいて作業者が通過した場合に第１記録媒体に記録された第１識別情報の読み取りを行う第１読取手段と、第１読取手段の読み取った第１識別情報に基づいて第１通過記録を生成する第１生成手段と、出力要求が与えられた場合に第１生成手段の生成した第１通過記録の読み出しを行い、当該読み出した第１通過記録の出力を行う出力手段とを備えている。よって、第１通過記録が偶数回ある第１識別情報から、その第１識別情報が記録された第１記録媒体を携帯する作業者が作業現場領域の内部から出ていることが分かるとともに、第１通過記録が奇数回ある第１識別情報から、その第１識別情報が記録された第１記録媒体を携帯する作業者が作業現場領域の内部に残っていることが分かる。従って、作業者が作業現場領域に残っているか否かを容易に特定することができる。
【００１０】
請求項３に係る作業現場管理システムは、作業現場領域の内部に設定した複数の作業領域に対する作業者の入出場をそれぞれ許容する第２ゲートと、第２識別情報が記録され、作業者個々に携帯させた第２記録媒体と、第１記録媒体の第１識別情報と、第２記録媒体の第２識別情報とを関連付けて、第１識別情報と第２識別情報との対応記録を生成する第２生成手段と、第２ゲートにおいて作業者が通過した場合に第２記録媒体に記録された第２識別情報の読み取りを行う第２読取手段とを備えて成り、かつ第１生成手段は、第２読取手段の読み取った第２識別情報および第２生成手段の生成した対応記録から第１識別情報に基づいて第２通過記録を作業領域毎に生成するものであり、出力手段は、出力要求が与えられた場合に第１生成手段の生成した第２通過記録の読み出しを行い、当該読み出した第２通過記録の出力を作業領域毎に行うものである。従って、出力手段によって、第１識別情報の第２通過記録が奇数回ある作業領域を出力させれば、その第１識別情報の第１記録媒体を所持する作業者が現在いる作業領域を特定することができる。
【発明を実施するための最良の形態】
【００１１】
以下に、本発明にかかる作業現場管理システムの実施の形態を図面に基づいて詳細に説明する。図１は、本発明にかかる作業現場管理システムを適用した工事現場８の概要を示す説明図である。
【００１２】
この工事現場８は、例えばビルを建設する作業現場である。この工事現場８は、例えば第１壁９を配設することによって作業現場領域１０を設定してある。この工事現場８の第１壁９には、作業者用出入口（第１出入口）１１と、車両用出入口（第１出入口）１２とを形成してある。
【００１３】
作業者用出入口１１は、例えば人間が通過できる幅に形成してある。車両用出入口１２は、作業者用出入口１１よりも幅広であって、例えば車両が通過できる幅に形成してある。
【００１４】
作業者用出入口１１を形成した部位には、作業者用出入口１１を開閉する作業者用ゲート（第１ゲート）１３を第１壁９に配設してある。作業者用ゲート１３の近傍の第１壁９には、作業者出入口端末装置（第１端末装置）１４を配設してある。
【００１５】
車両用出入口１２を形成した部位には、車両用出入口１２を開閉する車両用ゲート（第１ゲート）１６を第１壁９に配設してある。車両用ゲート１６の近傍の第１壁９には車両用端末装置（第１端末装置）１７を配設してある。
【００１６】
作業現場領域１０の内部であって、作業者用ゲート１３の近傍には、後述する第２記録媒体の貸し出し、および返却を行う第２記録媒体貸出所１８が配置されている。
【００１７】
また、上記作業現場領域１０の内部には、ビルを建設している建設領域１９と、例えば溶接機等のビルの建設を行うために必要な機器を保管してある機器保管領域（作業領域）２０と、作業者である施主のための施主領域（作業領域）７０とを画成してある。
【００１８】
機器保管領域２０は、例えば第２壁２１を配設することによって設定してある。この第２壁２１には、機器保管領域出入口（第２出入口）２２を形成してある。機器保管領域出入口２２は、例えば人間が通過できる幅に形成してある。機器保管領域出入口２２を形成した部位には、機器保管領域出入口２２を開閉する機器保管領域ゲート（第２ゲート）２３を第２壁２１に配設してある。機器保管領域ゲート２３の近傍の第２壁２１には、機器保管領域端末装置（第２端末装置）２４を配設してある。また、上記各機器には、自身を特定するバーコードをそれぞれ添付してある。また、この機器保管領域２０には、機器の貸出を行う機器貸出者を配置してある。
【００１９】
施主領域７０は、例えば第３壁７１を配設することによって設定してある。この第３壁７１には、施主領域出入口（第２出入口）７２を形成してある。施主領域出入口７２は、例えば人間が通過できる幅に形成してある。施主領域出入口７２を形成した部位には、施主領域出入口７２を開閉する施主領域ゲート（第２ゲート）７３を第３壁７１に配設してある。施主領域ゲート７３の近傍の第３壁７１には、施主領域端末装置（第２端末装置）７４を配設してある。
【００２０】
また、上記作業現場領域１０の内部に事務棟３０が建設してあり、上記作業現場領域１０の内部であって、施主領域７０の内部に施主棟８０が建設してある。
【００２１】
事務棟３０は、ビルの建設に携わる作業者のうち、例えば図面を作成する図面作成者や、ビルの設計を行う設計者が事務を行うための建物であって、事務棟３０を構築する第４壁３１を備えている。この第４壁３１によって、事務棟３０の事務領域（作業領域）３２が設定されている。この第４壁３１には、事務領域出入口（第２出入口）３３を形成してある。事務領域出入口３３は、例えば人間が通過できる幅に形成してある。事務領域出入口３３を形成した部位には、事務領域出入口３３を開閉する事務領域ゲート（第２ゲート）３４を第４壁３１に配設してある。事務領域ゲート３４の近傍の第４壁３１には、事務領域端末装置（第２端末装置）３５を配設してある。この事務領域ゲート３４には、後述する電波カードを検知する不図示の検知手段と、その検知手段が電波カードを検知した場合に警報を発する警報手段とを配設してある。
【００２２】
事務棟３０の内部には、図面を作成する図面作成室４０と、図面を管理する図面管理室５０と、後述する管理装置を載置する管理装置載置室６０とを配設してある。
【００２３】
図面作成室４０は、第５壁４１によって画成されている。換言すれば、第５壁４１によって、図面作成領域（作業領域）４２が設定されている。この図面作成室４０を画成する第５壁４１には、図面作成領域出入口（第２出入口）４３を形成してある。図面作成領域出入口４３は、例えば人間が通過できる幅に形成してある。図面作成領域出入口４３を形成した部位には、図面作成領域出入口４３を開閉する図面作成領域ゲート（第２ゲート）４３を第５壁４１に配設してある。図面作成領域ゲート４４の近傍の壁には、図面作成領域端末装置（第２端末装置）４５を配設してある。
【００２４】
図面管理室５０は、第６壁５１によって画成されている。換言すれば、第６壁５１によって、図面管理領域（作業領域）５２が設定されている。この図面管理室５０を画成する第６壁５１には、図面管理領域出入口（第２出入口）５３を形成してある。図面管理領域出入口５３は、例えば人間が通過できる幅に形成してある。図面管理領域出入口５３を形成した部位には、図面管理領域出入口５３を開閉する図面管理領域ゲート（第２ゲート）５４を第６壁５１に配設してある。図面管理領域ゲート５４の近傍の第６壁５１には、図面管理領域端末装置（第２端末装置）５５を配設してある。この図面管理室５０で管理している複数の図面には、自身を特定するバーコードをそれぞれ添付してあるとともに、電波カードをそれぞれ添付してある。また、この図面管理室５０には、図面の貸出を行う図面貸出者を配置してある。
【００２５】
管理装置載置室６０は、第７壁６１によって画成されている。換言すれば、第７壁６１によって、管理装置載置領域（作業領域）６２が設定されている。この管理装置載置室６０を画成する第７壁６１には、管理装置載置領域出入口（第２出入口）６３を形成してある。管理装置載置領域出入口６３は、例えば人間が通過できる幅に形成してある。管理装置載置領域出入口６３を形成した部位には、管理装置載置領域出入口６３を開閉する管理装置載置領域ゲート（第２ゲート）６４を第７壁６１に配設してある。管理装置載置領域ゲート６４の近傍の第７壁６１には、管理装置載置領域端末装置（第２端末装置）６５を配設してある。
【００２６】
この管理装置載置室６０には、管理装置１３０を１台、配置してある。また、管理装置載置室６０には、後述する各種のデータベースの内容を確認する作業者を配置してある。また、この管理装置載置室６０には、施主領域入場証を複数枚保管してあり、かつ施主バーコードが刻印された施主カードを複数枚保管してある。
【００２７】
施主棟８０は、ビルの建築を注文した施主が、事務を行うための建物であって、施主棟８０を構築する第８壁８１を備えている。この第８壁８１によって、施主棟８０の施主事務領域（作業領域）８２が設定されている。この第８壁８１には、施主事務領域出入口（第２出入口）８３を形成してある。施主事務領域出入口８３は、例えば人間が通過できる幅に形成してある。施主事務領域出入口８３を形成した部位には、施主事務領域出入口８３を開閉する施主事務領域ゲート（第２ゲート）８４を第８壁８１に配設してある。施主事務領域ゲート８４の近傍の第８壁８１には、施主事務領域端末装置（第２端末装置）８５を配設してある。
【００２８】
この工事現場８には、上記第１端末装置１４，１７、第２端末装置２４，３５，４５，５５，６５，７４，８５、管理装置１３０、第１記録媒体、および第２記録媒体で構成される作業現場管理システムを適用してある。
【００２９】
第１端末装置１４，１７は、図２に示すように、無線通信インターフェース１０１と、第１カードリーダ手段（第１読取手段）１０２と、第１端末記憶手段１０３と、時計１０４と、第１端末制御手段１０５とを備えている。
【００３０】
これらの第１端末装置１４，１７は、上記第１壁９と、各ゲート１３，１６との間にそれぞれ配設された第１施錠手段１１０に導線１１１を介してそれぞれ接続してある。この第１施錠手段１１０は、通常、各ゲート１３，１６を閉成状態に維持するものであり、対応する第１端末装置１４，１７からの解錠指令に基づいて、開錠し、各ゲート１３，１６が開成されることを許容するものである。
【００３１】
無線通信インターフェース１０１は、ｂｌｕｅｔｏｏｔｈ等の近距離無線方式を適用し、上記管理装置１３０との間において、各種データの送受信を行うための機器である。
【００３２】
第１カードリーダ手段１０２は、所定の保持領域に第１記録媒体が配置された場合、この第１記録媒体に記録された第１識別情報の読み取りを行うものである。本実施の形態では、例えばＩＣカードである第１記録媒体に対して接触した状態で第１識別情報の読み取りを行うことのできる第１カードリーダ手段１０２を適用している。また、第１カードリーダ手段１０２は、作業現場領域１０の内部側に現れ、かつ作業現場領域１０の外部側に現れるよう構成してある。
【００３３】
第１端末記憶手段１０３は、各種データを記録するものであり、かつ上記第１カードリーダ手段１０２が読み取った第１識別情報と、その第１識別情報を読み取った時分とを記録するものである。また、第１端末記憶手段１０３には、自身の端末識別情報が記録されている。
【００３４】
第１端末制御手段１０５は、第１開錠判断部１０８と第１送信情報生成部１０９とを備えており、無線通信インターフェース１０１と、第１カードリーダ手段１０２と、第１端末記憶手段１０３と、時計１０４とを統括的に制御するものである。
【００３５】
第１開錠判断部１０８は、第１識別情報を第１カードリーダ手段１０２が読み取った場合、その読み取った第１識別情報が、第１端末記憶手段１０３に予め記録されているか否かを判断するものである。読み取った第１識別情報が第１端末記憶手段１０３に予め記録されていない場合、第１施錠手段１１０の施錠状態を維持する一方、読み取った第１識別情報が第１端末記憶手段１０３に予め記録されている場合、第１施錠手段１１０に開錠指令を送信する。
【００３６】
第１送信情報生成部１０９は、上記第１開錠判断部１０８で、読み取った第１識別情報が予め第１端末記憶手段１０３に記録してあるものだと判断した場合、第１端末記憶手段１０３に記録してある第１識別情報および第１識別情報を読み取った時分を、自身の端末識別情報に関連付けて第１送信データを生成し、その第１送信データを管理装置１３０に送信するものである。
【００３７】
第２端末装置２４，３５，４５，５５，６５，７４，８５を図３に示す。これらの第２端末装置２４，３５，４５，５５，６５，７４，８５において、上記第１端末装置１４，１７と同一の構成を有するものには同一の符号を付して説明を省略する。
【００３８】
第２端末装置２４，３５，４５，５５，６５，７４，８５は、無線通信インターフェース１０１と、第２カードリーダ手段（第２読取手段）１１２と、第２端末記憶手段１１３と、時計１０４と、第２端末制御手段１１５とを備えている。
【００３９】
各第２端末装置２４，３５，４５，５５，６５，７４，８５は、上記各壁２１，３１，４１，５１，６１，７１，８１と、各ゲート２３，３４，４４，５４，６４，７３，８４との間にそれぞれ配設された第２施錠手段１２０に導線１２１を介してそれぞれ接続されている。この第２施錠手段１２０は、通常、各ゲート２３，３４，４４，５４，６４，７３，８４を閉成状態に維持するものであり、対応する第２端末装置２４，３５，４５，５５，６５，７４，８５からの解錠指令に基づいて、開錠し、各ゲート２３，３４，４４，５４，６４，７３，８４が開成されることを許容するものである。
【００４０】
第２カードリーダ手段１１２は、所定の保持領域に第２記録媒体が配置された場合、この第２記録媒体に記録された第２識別情報の読み取りを行うものである。本実施の形態では、例えばＩＣカードである第２記録媒体に対して非接触の状態で第２識別情報の読み取りを行うことのできる第２カードリーダ手段１１２を適用している。また、第２カードリーダ手段１１２は、各作業領域２０，３２，４２，５２，６２，７０，８２の内部側に現れ、かつ各作業領域２０，３２，４２，５２，６２，７０，８２の外部側に現れるよう構成してある。
【００４１】
第２端末記憶手段１１３は、各種データを記録するものであり、かつ上記第２カードリーダ手段１１２が読み取った第２識別情報と、その第２識別情報を読み取った時分とを記録するものである。また、第２端末記憶手段１１３には、自身の端末識別情報が記録されている。
【００４２】
第２端末制御手段１１５は、第２開錠判断部１１８と第２送信情報生成部１１９とを備えており、無線通信インターフェース１０１と、第２カードリーダ手段１１２と、第２端末記憶手段１１３と、時計１０４とを統括的に制御するものである。
【００４３】
第２開錠判断部１１８は、第２識別情報を第２カードリーダ手段１１２が読み取った場合、その読み取った第２識別情報が、第２端末記憶手段１１３に予め記録されているか否かを判断するものである。読み取った第２識別情報が第２端末記憶手段１１３に予め記録されていない場合、第２施錠手段１２０の施錠状態を維持する一方、読み取った第２識別情報が第２端末記憶手段１１３に予め記録されている場合、導線１２１を介して接続されている第２施錠手段１２０に開錠指令を送信する。
【００４４】
第２送信情報生成部１１９は、上記第２開錠判断部１１８で、読み取った第２識別情報が予め第２端末記憶手段１１３に記録してあるものだと判断した場合、第２端末記憶手段１１３に記憶してある第２識別情報および読み取った時分を、自身の端末識別情報に関連付けて第２送信データを生成し、その第２送信データを管理装置１３０に送信するものである。
【００４５】
管理装置１３０は、本システムの管理を行うものであって、例えばコンピュータであり、図４に示すように、無線通信インターフェース１３１と、ネットワーク通信インターフェース１３２と、入力手段１３４と、出力手段１３５と、主制御手段１４０と、メモリ（記憶手段）１５０とを備えている。
【００４６】
無線通信インターフェース１３１は、ｂｌｕｅｔｏｏｔｈ等の近距離無線方式を適用して上記端末装置１４，１７，２４，３５，４５，５５，６５，７４，８５との間において、各種データの送受信を行うための機器である。
【００４７】
ネットワーク通信インターフェース１３２は、インターネットＮＷを通じて他のコンピュータＣＰとの間において各種データの送受信を行うための機器である。
【００４８】
入力手段１３４は、例えばキーボードであって、作業者が所定の操作指示を行うためのもので、アルファベットキー、テンキー、及び種々の機能キーで構成した機器である。
【００４９】
出力手段１３５は、例えばプリンターや液晶ディスプレイであって、主制御手段１４０の指示、または入力手段１３４を介した作業者の操作指示に基づいて各種データを表示することにより出力、または各種データを用紙に印刷することにより出力するための機器である。
【００５０】
主制御手段１４０は、第１情報管理部１４１と、第２情報管理部（第２生成手段）１４２と、第３情報管理部（第１生成手段）１４３とを有しており、メモリ１５０に格納されたプログラムやデータに従って、さらには入力手段１３４から入力されたデータに従って、無線通信インターフェース１３１、ネットワーク通信インターフェース１３２、入力手段１３４、出力手段１３５、およびメモリ１５０を統括的に制御するものである。
【００５１】
第１情報管理部１４１は、インターネットＮＷを介して作業者の申請データが送信されたときに、送信された申請データと、メモリ１５０の後述する作業者管理データベース１５１に記録されている作業者の個人データとを比較し、合致したものがあるか否かを検索するものである。そして、合致したものがある場合には、その作業者の個人データの中から作業者の第１識別情報を抽出し、抽出した第１識別情報を第２情報管理部１４２に送信する一方、合致したものがない場合には、その作業者の申請データと、新たに作成した第１識別情報とを関連付け、作業者管理データベース１５１に記録するとともに、当該新たに作成した第１識別情報を第２情報管理部１４２に送信する。上記作業者管理データベース１５１に対して、第１情報管理部１４１は、記録の追加・更新・削除・検索を行うことが可能である。
【００５２】
第２情報管理部１４２は、インターネットＮＷを介して送信された作業者の申請データと、第１情報管理部１４１から送信された第１識別情報とを関連付け、ある作業者が作業現場領域１０に入退場することを許容する第２許容データを生成するものである。また、作業者の申請データにおいて、作業領域２０，３２，４２，５２，６２，７０，８２の少なくともいずれか一つに入退場する旨の申請がある場合には、上記第１識別情報と、作業領域２０，３２，４２，５２，６２，７０，８２に対応する第２記録媒体の第２識別情報とを関連付け、ある作業者が作業領域２０，３２，４２，５２，６２，７０，８２に入退場することを許容する第２許容データ（対応記録）を生成するものである。すなわち、この第２情報管理部１４２は、第１記録媒体の第１識別情報と、第２記録媒体の第２識別情報とを関連付けて、第１識別情報と第２識別情報との第２許容データ（対応記録）を生成するものである。この第２情報管理部１４２は、上記いずれか一方の許容データをメモリ１５０の後述する入退場管理データベース１５２に記録する。この入退場管理データベース１５２に対して、第２情報管理部１４２は、記録の追加・更新・削除・検索を行うことが可能である。
【００５３】
第３情報管理部１４３は、上記第１端末装置１４，１７から無線によって上記第１送信データが送信された場合、その第１送信データに含まれる端末識別情報に基づき、メモリ１５０の後述する領域管理データベース１５３の第１識別情報の対応する個所に時分を記録するものである。さらに、第３情報管理部１４３は、上記第２端末装置２４，３５，４５，５５，６５，７４，８５から無線によって第２送信データが送信された場合、その第２送信データに含まれる第２識別情報を読み出し、第２情報管理部１４２を介して、当該第２識別情報に対応する第１識別情報を上記入退場管理データベース１５２から読み出した後、第２送信データに含まれる端末識別情報に基づき、領域管理データベース１５３の第１識別情報の対応する個所に時分を記録するものである。この入退場管理データベースに対して、第３情報管理部１４３は、記録の追加・更新・削除・検索を行うことが可能である。
【００５４】
メモリ１５０は、情報を記録するものであって、作業者管理データベース１５１と、入退場管理データベース１５２と、領域管理データベース１５３とを備えている。
【００５５】
作業者管理データベース１５１には、例えば図５に示すように、かつて作業現場領域１０で作業したことのある作業者の第１識別情報と、当該作業者の個人情報とが関連付けられて格納されている。この実施形態において、作業者の個人情報は、作業者の氏名と、作業者の生年月日と、作業者の会社名と、作業者が使用する車両のナンバー（車両を特定するナンバー）と、作業者の職種と、作業者の顔写真とで構成されている。
【００５６】
入退場管理データベース１５２には、例えば図６に示すように、作業者の第１識別情報と、その作業者が通過を許容されるゲート１３，１６，２３，３４，４４，５４，６４，７３，８４とが関連付けられて格納されている。また、第１識別情報と、作業者に借用させる第２記録媒体の第２識別情報とが関連付けられて格納されている。すなわち、作業現場領域１０に入退場することが許容される作業者の第１識別情報が格納されているとともに、特定の作業領域２０，３２，４２，５２，６２，７０，８２に入退場することが許容される作業者の第１識別情報が格納されている。
【００５７】
領域管理データベース１５３には、例えば図７に示すように、作業者の第１識別情報と、その作業者が入退場を行った作業現場領域１０、およびその作業者が入退場を行った作業領域２０，３２，４２，５２，６２，７０，８２とが関連付けられて格納されており、かつ作業者の第１識別情報と、作業者個々が携帯する第１記録媒体の第１識別情報を読み取った時間、および作業者個々が携帯する第２記録媒体の第２識別情報を読み取った時間とが関連付けられて格納されている。
【００５８】
第１記録媒体、および第２記録媒体は、例えばＩＣカードである。第１記録媒体には作業者を特定する第１識別情報が記録されてあり、この第１記録媒体は一人の作業者に対して一枚発行される。
【００５９】
作業者が、上記第１記録媒体を、作業者出入口端末装置１４の第１カードリーダ手段１０２の保持領域に接触させた場合、当該第１記録媒体に記録された第１識別情報が第１カードリーダ手段１０２に読み取られる。図６に示す入退場管理データベース１５２において、作業者用ゲート１３に対応する個所に、読み取られた第１識別情報を許容する旨が予め記録（この実施形態では「ＯＫ」）されている場合、作業者用ゲート１３の第１施錠手段１１０に開錠指令が送信される一方、図６に示す入退場管理データベース１５２において、作業者用ゲート１３に対応する個所に、読み取られた第１識別情報を許容する旨の記録（この実施形態では「ＮＧ」）がない場合、作業者用ゲート１３の第１施錠手段１１０が施錠状態を維持する。
【００６０】
作業者が、上記第１記録媒体を、車両用端末装置１７の第１カードリーダ手段１０２の保持領域に接触させた場合、当該第１記録媒体に記録された第１識別情報が第１カードリーダ手段１０２に読み取られる。図６に示す入退場管理データベース１５２において、車両用ゲート１６に対応する個所に、読み取られた第１識別情報を許容する旨が予め記録（この実施形態では「ＯＫ」）されている場合、車両用ゲート１６の第１施錠手段１１０に開錠指令が送信される一方、図６に示す入退場管理データベース１５２において、車両用ゲート１６に対応する個所に、読み取られた第１識別情報を許容する旨の記録（この実施形態では「ＮＧ」）がない場合、車両用ゲート１６の第１施錠手段１１０が施錠状態を維持する。
【００６１】
第２記録媒体には、第２識別情報が記録されている。この第２記録媒体は、上記作業領域２０，３２，４２，５２，６２，７０，８２に対応するよう複数種類のものが複数枚ずつ用意してある。具体的には、機器保管領域２０への入場、および機器保管領域２０からの退場を許容される第１カードが複数枚用意してあり、事務棟３０への入場、および事務棟３０からの退場を許容される第２カードが複数枚用意してあり、図面作成室４０への入場、および図面作成室４０からの退場を許容される第３カードが複数枚用意してあり、図面管理室５０への入場、および図面管理室５０からの退場を許容される第４カードが複数枚用意してあり、管理装置載置室６０への入場、および管理装置載置室６０からの退場を許容される第５カードが複数枚用意してあり、施主領域７０への入場、および施主領域７０からの退場を許容される第６カードが複数枚用意してあり、施主棟８０への入場、および施主からの退場を許容される第７カードが複数枚用意してある。
【００６２】
作業者が、上記第１カードを、機器保管領域端末装置２４の第２カードリーダ手段１１２の保持領域に接触させた場合、当該第１カードに記録された第２識別情報が第２カードリーダ手段１１２に読み取られる。図６に示す入退場管理データベース１５２において、機器保管領域ゲート２３に対応する個所に、読み取られた第２識別情報を許容する旨が予め記録（この実施形態では「ＯＫ」）されている場合、機器保管領域ゲート２３の第２施錠手段１２０に開錠指令が送信される一方、図６に示す入退場管理データベース１５２において、機器保管領域ゲート２３に対応する個所に、読み取られた第２識別情報を許容する旨の記録（この実施形態では「ＮＧ」）がない場合、機器保管領域ゲート２３の第２施錠手段１２０が施錠状態を維持する。
【００６３】
また、作業者が、上記第２カードを、事務領域端末装置３５の第２カードリーダ手段１１２の保持領域に接触させた場合、当該第２カードに記録された第２識別情報が第２カードリーダ手段１１２に読み取られる。図６に示す入退場管理データベース１５２において、事務領域ゲート３４に対応する個所に、読み取られた第２識別情報を許容する旨が予め記録（この実施形態では「ＯＫ」）されている場合、事務領域ゲート３４の第２施錠手段１２０に開錠指令が送信される一方、図６に示す入退場管理データベース１５２において、事務領域ゲート３４に対応する個所に、読み取られた第２識別情報を許容する旨の記録（この実施形態では「ＮＧ」）がない場合、事務領域ゲート３４の第２施錠手段１２０が施錠状態を維持する。
【００６４】
また、作業者が、上記第３カードを、図面作成領域端末装置４５の第２カードリーダ手段１１２の保持領域に接触させた場合、当該第２カードに記録された第２識別情報が第２カードリーダ手段１１２に読み取られる。図６に示す入退場管理データベース１５２において、図面作成領域ゲート４４に対応する個所に、読み取られた第２識別情報を許容する旨が予め記録（この実施形態では「ＯＫ」）されている場合、図面作成領域ゲート４４の第２施錠手段１２０に開錠指令が送信される一方、図６に示す入退場管理データベース１５２において、図面作成領域ゲート４４に対応する個所に、読み取られた第２識別情報を許容する旨の記録（この実施形態では「ＮＧ」）がない場合、図面作成領域ゲート４４の第２施錠手段１２０が施錠状態を維持する。
【００６５】
また、作業者が、上記第４カードを、図面管理領域端末装置５５の第２カードリーダ手段１１２の保持領域に接触させた場合、当該第２カードに記録された第２識別情報が第２カードリーダ手段１１２に読み取られる。図６に示す入退場管理データベース１５２において、図面管理領域ゲート５４に対応する個所に、読み取られた第２識別情報を許容する旨が予め記録（この実施形態では「ＯＫ」）されている場合、図面管理領域ゲート５４の第２施錠手段１２０に開錠指令が送信される一方、図６に示す入退場管理データベース１５２において、図面管理領域ゲート５４に対応する個所に、読み取られた第２識別情報を許容する旨の記録（この実施形態では「ＮＧ」）がない場合、図面管理領域ゲート５４の第２施錠手段１２０が施錠状態を維持する。
【００６６】
また、作業者が、上記第５カードを、管理装置載置領域端末装置６５の第２カードリーダ手段１１２の保持領域に接触させた場合、当該第２カードに記録された第２識別情報が第２カードリーダ手段１１２に読み取られる。図６に示す入退場管理データベース１５２において、管理装置載置領域ゲート６４に対応する個所に、読み取られた第２識別情報を許容する旨が予め記録（この実施形態では「ＯＫ」）されている場合、管理装置載置領域ゲート６４の第２施錠手段１２０に開錠指令が送信される一方、図６に示す入退場管理データベース１５２において、管理装置載置領域ゲート６４に対応する個所に、読み取られた第２識別情報を許容する旨の記録（この実施形態では「ＮＧ」）がない場合、管理装置載置領域ゲート６４の第２施錠手段１２０が施錠状態を維持する。
【００６７】
また、作業者が、上記第６カードを、施主領域端末装置７４の第２カードリーダ手段１１２の保持領域に接触させた場合、当該第２カードに記録された第２識別情報が第２カードリーダ手段１１２に読み取られる。図６に示す入退場管理データベース１５２において、施主領域ゲート７３に対応する個所に、読み取られた第２識別情報を許容する旨が予め記録（この実施形態では「ＯＫ」）されている場合、施主領域ゲート７３の第２施錠手段１２０に開錠指令が送信される一方、図６に示す入退場管理データベース１５２において、施主領域ゲート７３に対応する個所に、読み取られた第２識別情報を許容する旨の記録（この実施形態では「ＮＧ」）がない場合、施主領域ゲート７３の第２施錠手段１２０が施錠状態を維持する。
【００６８】
また、作業者が、上記第７カードを、施主事務領域端末装置８５の第２カードリーダ手段１１２の保持領域に接触させた場合、当該第２カードに記録された第２識別情報が第２カードリーダ手段１１２に読み取られる。図６に示す入退場管理データベース１５２において、施主事務領域ゲート８４に対応する個所に、読み取られた第２識別情報を許容する旨が予め記録（この実施形態では「ＯＫ」）されている場合、施主事務領域ゲート８４の第２施錠手段１２０に開錠指令が送信される一方、図６に示す入退場管理データベース１５２において、施主事務領域ゲート８４に対応する個所に、読み取られた第２識別情報を許容する旨の記録（この実施形態では「ＮＧ」）がない場合、施主事務領域ゲート８４の第２施錠手段１２０が施錠状態を維持する。
【００６９】
次に、上記工事現場８に作業者が入る場合を説明する。作業者は、工事現場８に入る日の前、具体的には１週間前に、自身の個人情報と、顔写真情報と、作業を行う領域情報とを記載した申請データを、例えば自身が勤務する会社のコンピュータを用い、インターネットＮＷを介して管理装置１３０に送信する。
【００７０】
個人情報は、例えば作業者の氏名と、作業者の生年月日と、作業者が勤務する会社と、使用する車両のナンバー（車両を特定できる識別情報）と、工事現場８における作業者の職種とで構成してある。具体例を示すと、図８に示すように、□□□×会社における１０月１９日に工事現場８で作業する作業者は、○○○×と○○××との二人である。作業者○○○×の個人情報は、生年月日が△△△×であり、使用する車両がなく、職種が図面作成職である。また、この作業者○○○×の作業を行う領域情報は、図９に示すように、作業現場領域１０、事務領域３２、図面作成室４０、および図面管理室５０である。作業者○○××の個人情報は、図８に示すように、生年月日が△△××であり、使用する車両がなく、職種が鳶職である。また、この作業者○○○×の作業を行う領域情報は、図９に示すように、ビルの建設領域１９が含まれる作業現場領域１０である。
【００７１】
管理装置１３０が申請データを受信した場合、第１情報管理部１４１は、作業者の申請データと、作業者管理データベース１５１に記録されている作業者の個人データとを比較し、合致したものがあるか否かを検索し、合致したものがある場合には、その作業者の第１識別情報を、第２情報管理部１４２に送信する一方、合致したものがない場合には、その作業者の申請データと、新たに作成した第１識別情報とを関連付け、図５に示す作業者管理データベース１５１に記録してから、その新たに作成した第１識別情報を第２情報管理部１４２に送信する。
【００７２】
上記具体例では、作業者○○○×および作業者○○××は、過去に作業したことがある作業者であり、作業者管理データベース１５１に第１識別情報と個人データとが記録されている。作業者○○○×の第１識別情報は、１０００１であり、作業者○○××の第１識別情報は１０００２である。これらの第１識別情報が、第１情報管理部１４１から第２情報管理部１４２に個別に送信されることとなる。
【００７３】
次に、第２情報管理部１４２は、インターネットＮＷを介して送信された申請データと、第１情報管理部１４１から送信された第１識別情報とを関連付け、ある作業者が作業現場領域１０に入退場することを許可する第１許容データを生成するとともに、ある作業者が特定の作業領域２０，３２，４２，５２，６２，７０，８２に入退場することを許可する第２許容データを生成し、それらの第１許容データ、および第２許容データを入退場管理データベース１５２に記録する。
【００７４】
上記具体例では、第２情報管理部１４２は、作業者○○○×の申請データと、作業者○○○×の第１識別情報１０００１とを関連付け、作業者○○○×が作業者用ゲート１３を通過して作業現場領域１０に入退場することを許容する第１許容データを生成するとともに、作業者○○○×が事務領域ゲート３４を通過して事務領域３２に入退場することを許容し、図面作成領域ゲート４４を通過して図面作成領域４２に入退場することを許容し、図面管理領域ゲート５４を通過して図面管理領域５２に入退場することを許可する第２許容データを生成し、それら第１許容データ、および第２許容データを入退場管理データベース１５２に記録する。この実施形態では、作業者○○○×の第１許容データが入退場管理データベース１５２に記録されると、図６に示すように、作業者用ゲート１３に対応する個所に、第１識別情報１０００１を許容する旨が記録（この実施形態では「ＯＫ」）され、作業者○○○×の第２許容データが入退場管理データベース１５２に記録されると、図６に示すように、事務領域ゲート３４に対応する個所に、第１識別情報１０００１を許容する旨が記録（この実施形態では「ＯＫ」および第２記録媒体の第２識別情報（Ｄｎ０００００１）され、図面作成領域ゲート４４に対応する個所に、第１識別情報１０００１を許容する旨が記録（この実施形態では「ＯＫ」および第２記録媒体の第２識別情報（Ｅｎ０００００１）され、図面管理領域ゲート５４に対応する個所に、第１識別情報１０００１を許容する旨が記録（この実施形態では「ＯＫ」および第２記録媒体の第２識別情報（Ｆｎ０００００１）される。
【００７５】
また、作業者○○××の第１許容データが入退場管理データベース１５２に記録されると、図６に示すように、作業者用ゲート１３に対応する個所に、第１識別情報１０００２を許容する旨が記録（この実施形態では「ＯＫ」）される。
【００７６】
入退場管理データベース１５２の記録は、例えば前日に、作業者であるオペレータによって、その内容が確認される。また、上記入退場管理データベース１５２の記録に基づいて第２記録媒体が用意される。
【００７７】
上記具体例では、第１識別情報１０００１の作業者○○○×に、第２識別情報がＤｎ０００００１である第２記録媒体と、第２識別情報がＥｎ０００００１である第２記録媒体と、第２識別情報がＦｎ０００００１である第２記録媒体とが用意され、それらの第２記録媒体が、第２記録媒体貸出所１８に載置されることとなる。一方、第１識別情報１０００２の作業者○○××に、第２記録媒体は用意されない。
【００７８】
次いで、作業日の当日を説明する。作業現場におけるその日の作業が開始される時間となる前、管理装置１３０は、入退場管理データベース１５２の記録から、端末識別情報と第１識別情報とを関連付けて第３許容データを生成し、その第３許容データを無線を介して第１端末装置１４，１７に送信し、かつ入退場管理データベース１５２の記録から、端末識別情報と第２識別情報とを関連付けて第４許容データを生成し、その第４許容データを無線を介して第２端末装置２４，３５，４５，５５，６５，７４，８５に送信する。
【００７９】
第３許容データが送信された第１端末装置１４，１７は、自身の端末識別情報に対応する第１識別情報を第１端末記憶手段１０３にそれぞれ記録する。
【００８０】
上記具体例では、作業者出入口端末装置１４は、自身の第１端末記憶手段１０３に第１識別情報１０００２，第１識別情報１０００２を記憶する。車両用端末装置１７は、自身の第１端末記憶手段１０３に第１識別情報を記録しない。
【００８１】
第４許容データが送信された第２端末装置２４，３５，４５，５５，６５，７４，８５は、自身の端末識別情報に対応する第２識別情報を第２端末記憶手段１１３にそれぞれ記録する。
【００８２】
上記具体例では、事務領域端末装置３５は、自身の第２端末記憶手段１１３に第２識別情報Ｄｎ０００００１を記録し、図面作成領域端末装置４５は、自身の第２端末記憶手段１１３に第２識別情報Ｅｎ０００００１を記録し、図面管理領域端末装置５５は、自身の第２端末記憶手段１１３に第２識別情報Ｆｎ０００００１を記録する一方、機器保管領域端末装置２４は、自身の第２端末記憶手段１１３に第２識別情報を記録せず、管理装置載置領域端末装置６５は、自身の第２端末記憶手段１１３に第２識別情報を記録せず、施主領域端末装置７４は、自身の第２端末記憶手段１１３に第２識別情報を記録せず、施主事務領域端末装置８５は、自身の第２端末記憶手段１１３に第２識別情報を記録しない。
【００８３】
次に、作業現場領域１０に作業者が到着した場合を説明する。作業者は、作業現場領域１０に到着すると、自身が携帯する第１記録媒体を作業者出入口端末装置１４の第１カードリーダ手段１０２、または車両用端末装置１７の第１カードリーダ手段１０２の保持領域に接触させる。
【００８４】
すると、第１端末装置１４，１７の第１カードリーダ手段１０２は、第１記録媒体に記録されている第１識別情報を読み取る。第１端末制御手段１０５は、第１カードリーダ手段１０２が読み取った第１識別情報と、第１カードリーダ手段１０２が第１識別情報を読み取ったと時分を第１端末記憶手段１０３に格納する。
【００８５】
また、第１カードリーダ手段１０２が第１識別情報を読み取った場合、各第１端末装置１４，１７の第１開錠判断部１０８は、その読み取った第１識別情報が第１端末記憶手段１０３に予め記録されているか否かを判断する。読み取った第１識別情報が第１端末記憶手段１０３に予め記録されていない場合、第１施錠手段１１０の施錠状態を維持する一方、読み取った第１識別情報が第１端末記憶手段１０３に予め記録されている場合、第１施錠手段１１０に開錠指令を送信する。開錠指令が送信された後、一定時間が経過すると、第１端末制御手段１０５から第１施錠手段１１０に施錠指令が送信され、ゲート１３，１６の施錠状態が維持される。
【００８６】
第１開錠判断部１０８において、読み取った第１識別情報が予め第１端末記憶手段１０３に記録してあるものだと判断した場合には、第１送信情報生成部１０９は、第１端末記憶手段１０３に記録してある第１識別情報および第１識別情報を読み取った時分と、自身の端末識別情報とを関連付けて第１送信データを生成し、その第１送信データを管理装置１３０に送信する。
【００８７】
第１送信データを管理装置１３０の主制御手段１４０が受信した場合、第３情報管理部１４３は、その第１送信データに含まれる情報に基づき、メモリ１５０の領域管理データベース１５３の第１識別情報と端末識別情報との対応個所に時分を記録する。すなわち、第３情報管理部１４３は、読み取った第１識別情報に基づいて領域管理データベース１５３に第１通過記録を生成する。
【００８８】
上記具体例では、作業現場領域１０に到着した作業者○○○×は、自身が携帯する第１記録媒体を、作業者出入口端末装置１４の第１カードリーダ手段１０２の保持領域に接触させる。また、作業現場領域１０に到着した作業者○○××は、自身が携帯する第１記録媒体を、作業者出入口端末装置１４の第１カードリーダ手段１０２の保持領域に接触させる。
【００８９】
すると、作業者出入口端末装置１４の第１カードリーダ手段１０２は、作業者○○○×の第１記録媒体に記録されている第１識別情報１０００１を読み取り、作業者○○××の第１記録媒体に記録されている第１識別情報１０００２を読み取る。第１端末制御手段１０５は、第１カードリーダ手段１０２が読み取った第１識別情報１０００１と、第１カードリーダ手段１０２がその第１識別情報を読み取った時分である７時３０分を第１端末記憶手段１０３に格納する。また、第１端末制御手段１０５は、第１カードリーダ手段１０２が読み取った第１識別情報１０００２と、第１カードリーダ手段１０２がその第１識別情報を読み取った時分である７時４０分を第１端末記憶手段１０３に格納する。
【００９０】
第１カードリーダ手段１０２が第１識別情報を読み取った場合、作業者出入口端末装置１４の第１開錠判断部１０８は、それらの読み取った第１識別情報「１０００１」「１０００２」が第１端末記憶手段１０３に予め記録されているか否かを個別に判断する。この具体例では、第１端末記憶手段１０３に第１識別情報１０００１が記録されており、かつ第１端末記憶手段１０３に第１識別情報１０００２が記録されているため、第１施錠手段１１０に開錠指令がそれぞれ送信される。開錠指令が送信された後、作業者○○○×，○○××が作業者用ゲート１３の開扉操作を行えば、その開扉操作に応じて作業者用ゲート１３が開成移動することとなる。開錠指令が送信された後、一定時間が経過すると、第１端末制御手段１０５から第１施錠手段１１０に施錠指令が送信され、作業者用ゲート１３施錠状態が維持される。
【００９１】
第１開錠判断部１０８において、第１識別情報「１０００１」「１０００２」が第１端末記憶手段１０３に予め記録されているものだと判断したため、作業者出入口端末装置１４の第１送信情報生成部１０９は、第１端末記憶手段１０３に記憶してある第１識別情報「１０００１」および第１識別情報を読み取った時分「７時３０分」と、自身の端末識別情報とを関連付けて第１送信データを作成し、その第１送信データを管理装置１３０に送信し、かつ第１端末記憶手段１０３に記憶してある第１識別情報「１０００２」および第１識別情報を読み取った時分「７時４０分」と、自身の端末識別情報とを関連付けて第１送信データを作成し、その第１送信データを無線通信インターフェース１０１，１３１を介して管理装置１３０に送信する。
【００９２】
第１送信データを管理装置１３０の主制御手段１４０が受信した場合、第３情報管理部１４３は、その第１送信データに含まれる情報に基づき、メモリ１５０の領域管理データベース１５３の第１識別情報「１０００１」と作業現場領域１０との対応個所に「７時４０分」を記録し、かつ第１識別情報「１０００２」と作業現場領域１０との対応個所に「７時４０分」を記録する。
【００９３】
次に、作業領域２０，３２，４２，５２，６２，７０，８２への各作業者の入退場を説明する。建設領域１９以外の作業領域２０，３２，４２，５２，６２，７０，８２への入退場を行うものは、第２記録媒体貸出所１８に行き、自身の第１識別情報に対応する第２記録媒体を借用する。
【００９４】
次に、作業者は、各作業領域２０，３２，４２，５２，６２，７０，８２の第２端末装置２４，３５，４５，５５，６５，７４，８５に到着すると、自身が携帯する第２記録媒体を第２端末装置２４，３５，４５，５５，６５，７４，８５の第２カードリーダ手段１１２の保持領域に近接させる。
【００９５】
すると、第２端末装置２４，３５，４５，５５，６５，７４，８５第２カードリーダ手段１１２は、第２記録媒体に記録されている第２識別情報を読み取る。第２端末制御手段１１５は、第２カードリーダ手段１１２が読み取った第２識別情報と、第２カードリーダ手段１１２が第２識別情報を読み取った時分とを第２端末記憶手段１１３に格納する。
【００９６】
また、第２カードリーダ手段１１２が第２識別情報を読み取った場合、各第２端末装置２４，３５，４５，５５，６５，７４，８５の第２開錠判断部１１８は、その読み取った第２識別情報が、第２端末記憶手段１１３に予め記録されているか否かを判断する。読み取った第２識別情報が第２端末記憶手段１１３に予め記録されていない場合、第２施錠手段１２０の施錠状態を維持する一方、読み取った第２識別情報が第２端末記憶手段１１３に予め記録されている場合、第２施錠手段１２０に開錠指令を送信する。開錠指令が送信された後、一定時間が経過すると、第２端末制御手段１１５から第２施錠手段１２０に施錠指令が送信され、ゲート２３，３４，４４，５４，６４，７３，８４の施錠状態が維持される。
【００９７】
第２開錠判断部１１８において、読み取った第２識別情報が予め第２端末記憶手段１１３に記録してあるものだと判断した場合には、第２送信情報生成部１１９は、第２端末記憶手段１１３に記録してある第２識別情報および第２識別情報を読み取った時分と、自身の端末識別情報とを関連付けて第２送信データを生成し、その第２送信データを管理装置１３０に送信する。
【００９８】
第２送信データを管理装置１３０の主制御手段１４０が受信した場合、第３情報管理部１４３は、その第２送信データに含まれる情報に基づき、第２情報管理部１４２を介して入退場管理データベース１５２に格納してある第２識別情報に対応する第１識別情報を読み出し、かつその第１識別情報と、端末識別情報との対応個所に時分を記録する。すなわち、第３情報管理部１４３は、読み取った第２識別情報から、第２識別情報に関連付けられた第１識別情報に基づいて領域管理データベース１５３に第２通過記録を生成する。
【００９９】
上記具体例では、作業者○○××は、鳶職であり、建設領域１９に直行し、建設領域１９で作業を行う。一方、作業者○○○×は、図面作成職であり、事務棟３０に入り、図面管理室５０で図面を借り、図面作成室４０で作図作業を行う必要がある。このため、作業者○○○×は、第２記録媒体貸出所１８に行き、自身の第１識別情報１０００１に対応し、第２識別情報がＤｎ０００００１である第２記録媒体、第２識別情報がＥｎ０００００１である第２記録媒体、および第２識別情報がＦｎ０００００１である第２記録媒体を借用する。
【０１００】
また、作業者○○○×は、先ず、事務棟３０に行き、自身が携帯し、第２識別情報がＤｎ０００００１である第２記録媒体を事務領域端末装置３５の第２カードリーダ手段１１２の保持領域に近接させる。
【０１０１】
すると、事務領域端末装置３５の第２カードリーダ手段１１２は、第２記録媒体に記録されている第２識別情報Ｄｎ０００００１を読み取る。
第２端末制御手段１１５は、第２カードリーダ手段１１２が読み取った第２識別情報「Ｄｎ００００００１」と、第２カードリーダ手段１１２がその第２識別情報を読み取った時分である「７時３５分」を第２端末記憶手段１１３に格納する。
【０１０２】
第２カードリーダ手段１１２が第２識別情報を読み取った場合、事務領域端末装置３５の第２開錠判断部１１８は、その読み取った第２識別情報「Ｄｎ００００００１」が第２端末記憶手段１１３に予め記録されているか否かを判断する。この具体例では、事務領域端末装置３５の第２端末記憶手段１１３に第２識別情報「Ｄｎ００００００１」が記録されているため、第２開錠判断部１１８から第２施錠手段１２０に開錠指令が送信される。開錠指令が送信された後、作業者○○○×が事務領域ゲート３４の開扉操作を行えば、その開扉操作に応じて事務領域ゲート３４が開成移動することとなる。開錠指令が送信された後、一定時間が経過すると、第２端末制御手段１１５から第２施錠手段１２０に施錠指令が送信され、事務領域ゲート３４の施錠状態が維持される。
【０１０３】
第２開錠判断部１１８において、第２識別情報「Ｄｎ００００００１」が第２端末記憶手段１１３に予め記録されているものだと判断したため、事務領域端末装置３５の第２送信情報生成部１１９は、第２端末記憶手段１１３に記憶してある第２識別情報「Ｄｎ００００００１」および第２識別情報を読み取った時分「７時３５分」と、自身の端末識別情報とを関連付けて第２送信データを作成し、その第２送信データを管理装置１３０に送信し、かつ第１端末記憶手段１０３に記憶してある第１識別情報「１０００２」および第１識別情報を読み取った時分「７時４０分」と、自身の端末識別情報とを関連付けて第２送信データを作成し、その第２送信データを無線通信インターフェース１０１，１３１を介して管理装置１３０に送信する。
【０１０４】
第２送信データを管理装置１３０の主制御手段１４０が受信した場合、第３情報管理部１４３は、その第２送信データに含まれる情報に基づき、第２情報管理部１４２を介して入退場管理データベース１５２に格納してある第２識別情報「Ｄｎ００００００１」に対応する第１識別情報「１０００１」を読み出し、かつその第１識別情報「１０００１」と、事務領域３２との対応個所に時分「７時３５分」を記録する。
【０１０５】
作業者○○○×は、その後、図面管理室５０に行き、自身が携帯し、第２識別情報がＦｎ０００００１である第２記録媒体を使用して、７時４０分に図面管理室５０に入場する。この作業者○○○×による第２記録媒体の使用によって、上記と同様に第２通過記録が生成され、かつその第２通過記録の内容が、入退場管理データベース１５２に記録される。より詳細には、図７に示すように、第１識別情報「１０００１」と、図面管理領域５２との対応個所に時分「７時４０分」が記録される。
【０１０６】
作業者○○○×は、図面管理室５０で図面を借りた後、第２識別情報がＦｎ０００００１である第２記録媒体を使用して、８時００分に図面管理室５０から退場する。この作業者○○○×による第２記録媒体の使用によって、上記と同様に第２通過記録が生成され、かつその第２通過記録の内容が、入退場管理データベース１５２に記録される。より詳細には、図７に示すように、第１識別情報「１０００１」と、図面管理領域５２との対応個所に時分「８時００分」が記録される。
【０１０７】
さらに、作業者○○○×は、その後、図面作成室４０に行き、自身が携帯し、第２識別情報がＥｎ０００００１である第２記録媒体を使用して、８時０５分に図面作成室４０に入場し、そこで図面作成作業を行う。この作業者○○○×による第２記録媒体の使用によって、上記と同様に第２通過記録が生成され、かつその第２通過記録の内容が、入退場管理データベース１５２に記録される。より詳細には、図７に示すように、第１識別情報「１０００１」と、図面管理領域５２との対応個所に時分「８時０５分」が記録される。
【０１０８】
その後、図面作成作業を終了した場合、第２識別情報がＥｎ０００００１である第２記録媒体を使用して、１８時１０分に図面作成室４０から退場する。この作業者○○○×による第２記録媒体の使用によって、上記と同様に第２通過記録が生成され、かつその第２通過記録の内容が、入退場管理データベース１５２に記録される。より詳細には、図７に示すように、第１識別情報「１０００１」と、図面作成領域４２との対応個所に時分「１８時１０分」が記録される。
【０１０９】
作業者○○○×は、その後、図面管理室５０に行き、自身が携帯し、第２識別情報がＦｎ０００００１である第２記録媒体を使用して、１８時１５分に図面作成室４０に入場し、そこで借りた図面を返却する。この作業者○○○×による第２記録媒体の使用によって、上記と同様に第２通過記録が生成され、かつその第２通過記録の内容が、入退場管理データベース１５２に記録される。より詳細には、図７に示すように、第１識別情報「１０００１」と、図面管理領域５２との対応個所に時分「１８時１５分」が記録される。
【０１１０】
その後、自身が携帯し、第２識別情報がＦｎ０００００１である第２記録媒体を使用して、１８時２０分に図面管理室５０から退場する。この作業者○○○×による第２記録媒体の使用によって、上記と同様に第２通過記録が生成され、かつその第２通過記録の内容が、入退場管理データベース１５２に記録される。より詳細には、図７に示すように、第１識別情報「１０００１」と、図面管理領域５２との対応個所に時分「１８時２０分」が記録される。
【０１１１】
次に、作業者○○○×は、自身が携帯し、第２識別情報がＤｎ０００００１である第２記録媒体を使用して、１８時２５分に事務棟３０から退場する。この作業者○○○×による第２記録媒体の使用によって、上記と同様に第２通過記録が生成され、かつその第２通過記録の内容が、入退場管理データベース１５２に記録される。より詳細には、図７に示すように、第１識別情報「１０００１」と、事務領域３２との対応個所に時分「１８時２５分」が記録される。
【０１１２】
次に、作業者○○○×は、第２記録媒体貸出所１８に行き、自身の第１識別情報１０００１に対応し、第２識別情報がＤｎ０００００１である第２記録媒体、第２識別情報がＥｎ０００００１である第２記録媒体、および第２識別情報がＦｎ０００００１である第２記録媒体を返却する。
【０１１３】
最後に、作業者○○○×は、作業者用ゲート１３に行き、自身が携帯し、第１識別情報が１０００１である第１記録媒体を使用して、１８時３０分に作業現場領域１０から退場する。この作業者○○○×による第１記録媒体の使用によって、上記と同様に第１通過記録が生成され、かつその第１通過記録の内容が、入退場管理データベース１５２に記録される。より詳細には、図７に示すように、第１識別情報「１０００１」と作業現場領域１０との対応個所に「１８時３０分」を記録する。
【０１１４】
この作業現場管理システムにおいて、管理装置１３０の出力手段１３５に出力要求が与えられた場合、入退場管理データベース１５２の第１通過記録および第２通過記録の読み出しが行われ、読み出した第１通過記録および第２通過記録の出力が行われることとなる。
【０１１５】
この作業現場管理システムによれば、第１通過記録が偶数回ある第１識別情報から、その第１識別情報の第１記録媒体を所持する作業者が、作業現場領域１０から退場していることが分かるとともに、第１通過記録が奇数回ある第１識別情報から、その第１識別情報の第１記録媒体を所持する作業者が、作業現場領域１０から退場していないことが分かる。従って、作業者が作業現場領域１０に残っているか否かを容易に特定することができる。
【０１１６】
上記具体例では、第１識別情報「１０００１」についての第１通過記録が偶数回あることから、第１識別情報「１０００１」の第１記録媒体を所持する作業者○○○×は作業現場領域１０から退場していることが分かる。さらに、第１識別情報「１０００２」についての第１通過記録が奇数回あることから、第１識別情報「１０００２」の第１記録媒体を所持する作業者○○××は作業現場領域１０から退場していないことが分かる。
【０１１７】
さらに、出力手段１３５によって、第１識別情報の第２通過記録が奇数回ある作業領域２０，３２，４２，５２，６２，７０，８２を出力させれば、その第１識別情報の記録媒体を所持する作業者が現在いる作業領域２０，３２，４２，５２，６２，７０，８２を特定することができる。
【０１１８】
加えて、第３情報管理部１４２によって、第１識別情報に、作業者が第２ゲートを通過した時分を関連付けて第２通過記録を生成するため、例えば機密情報が漏洩した場合に、上記第２通過記録から、機密情報を漏洩した作業者を特定することが可能になる。
【０１１９】
また、本発明に係る作業現場管理システムでは、第２記録媒体に非接触式のものを適用しているため、ビルを建設している際に飛散し、第２記録媒体に付着した埃等の異物が第２カードリーダ手段１１２に付着することを防止することができる。よって、第２カードリーダ手段１１２に異物が付着することによって生じる第２記録媒体が有する第２識別情報の読み取りエラーが発生することを防止することができる。
【０１２０】
なお、上述した実施の形態には、ビルを建設する工事現場８に適用した作業現場管理システムで説明した。しかし、この発明は、それに限られず、例えば車両を組み立てる工場現場等の作業現場に適用することができる。
【０１２１】
さらに、上述した実施の形態には、ビルを建設する建設領域１９に、その建設領域１９に対する入出場を許容するゲート、およびそのゲートに対応する端末装置を設けないもので説明した。しかし、この発明は、それに限られず、ビルを建設する建設領域１９に、その建設領域１９に対する入出場を許容するゲート、およびそのゲートに対応する端末装置を設けても良い。
【０１２２】
ところで、上記工事現場において、機器を借りる場合には、その機器を借りる日の前に、機器保管領域２０への入出場を行う旨の申請をしておく必要がある。さらに、機器を借りる日には、上記と同様に第２記録媒体を使用することによって機器保管領域２０に入場してから、自身の第１記録媒体を機器貸出者に提出する。機器貸出者は、不図示の第３読取手段によって自身の第１記録媒体の第１識別情報を読み取り、かつ、機器を借りる作業者の第１記録媒体の第１識別情報を第３読取手段によって読み取り、さらに機器に添付してあるバーコードを不図示の第４読取手段によって読み取る。その後、機器を借りた作業者は、上記と同様に第２記録媒体を使用することによって機器保管領域２０から退場する。
【０１２３】
機器を借りた作業者は、例えば借りたその日、上記と同様に第２記録媒体を使用することによって機器保管領域２０に入場してから、自身の第１記録媒体と、借りた機器とを機器貸出者に提出する。機器貸出者は、不図示の第３読取手段によって自身の第１記録媒体の第１識別情報を読み取り、かつ、機器を借りた作業者の第１記録媒体の第１識別情報を第３読取手段によって読み取り、さらに機器に添付してあるバーコードを第６読取手段によって読み取る。
【０１２４】
また、上記工事現場において、図面を借りる場合には、その図面を借りる日の前に、図面管理領域５２への入出場を行う旨の申請をしておく必要がある。さらに、図面を借りる日には、上記と同様に第２記録媒体を使用することによって図面管理領域５２に入場してから、自身の第１記録媒体を図面貸出者に提出する。図面貸出者は、不図示の第５読取手段によって自身の第１記録媒体の第１識別情報を読み取り、かつ、図面を借りる作業者の第１記録媒体の第１識別情報を第５読取手段によって読み取り、さらに図面に添付してあるバーコードを不図示の第６読取手段によって読み取る。その後、図面を借りた作業者は、上記と同様に第２記録媒体を使用することによって図面管理領域５２から退場する。
【０１２５】
作業者が図面を持ったまま、事務棟３０から退場するため、事務領域ゲート３４を通過しようとした場合、事務領域ゲート３４に配設してある不図示の検知手段が、図面に添付してある電波カードを検知して警報手段が警報を発する。よって、事務棟３０の外に図面を持ち出すことを防止できる。
【０１２６】
図面を借りた作業者は、例えば借りたその日、上記と同様に第２記録媒体を使用することによって図面管理領域５２に入場してから、自身の第１記録媒体と、借りた図面とを図面貸出者に提出する。図面貸出者は、第５読取手段によって自身の第１記録媒体の第１識別情報を読み取り、かつ、図面を借りた作業者の第１記録媒体の第１識別情報を第５読取手段によって読み取り、さらに機器に添付してあるバーコードを第６読取手段によって読み取る。
【０１２７】
ところで、施主棟で作業を行う者は、対応する第２記録媒体を上記と同様に使用することによって管理装置載置領域６２に入場してから、その管理装置載置領域６２に保管してある施主領域入場証と施主カードとを借りる。その後、対応する第２記録媒体を上記と同様に使用することによって管理装置載置領域６２から退場した後、施主領域ゲート７３において、対応する第２記録媒体を上記と同様に使用することに加えて、警備員（作業者）に施主領域入場証を見せ、その施主領域入場証が正規のものであることを警備員に確認させることで、施主領域７０に入場することが許容される。さらに、施主事務領域ゲート８４において、対応する第２記録媒体を上記と同様に使用することに加えて、警備員（作業者）に施主カードを見せ、施主カードが正規のものであることを警備員に確認させるとともに、生体認証装置による認証を行い、予め生体認証の登録を行うことでその生体認証装置による認証が許可された者だけが、施主事務領域８２に入場することが許容される。
【０１２８】
なお、第１端末装置１４，１７における第１端末記憶手段１０３に記録してある情報は、その日の作業が過ぎ、所定の時分になると消去させることが好ましい。同様に、第２端末装置２４，３５，４５，５５，６５，７４，８５における第２端末記憶手段１１３に記録してある情報は、その日の作業が過ぎ、所定の時分になると消去させることが好ましい。
【０１２９】
また、上述した具体例には、車両のナンバーを登録しておらず、作業者用ゲート１３を通過することで作業現場領域１０への入出場を行う作業者○○○×および作業車○○××を用いて説明した。車両のナンバーを登録してある作業車は、車両用ゲート１６を通過することで作業現場領域１０への入出場を行うこととなる。この場合、入退場管理データベース１５２の車両用ゲート１６に対応する個所に、その当該作業者の第１識別情報が記録されることとなる。
【図面の簡単な説明】
【０１３０】
【図１】この発明に係る作業現場管理システムを適用した工事現場の概要を示す説明図である。
【図２】図１に示す作業現場管理システムが備える第１端末装置の概要を示す説明図である。
【図３】図１に示す作業現場管理システムが備える第２端末装置の概要を示す説明図である。
【図４】図１に示す作業現場管理システムが備える管理装置の概要を示す説明図である。
【図５】図４に示した管理装置が備える作業者管理データベースの構成例を示す図表である。
【図６】図４に示した管理装置が備える入退場管理データベースの構成例を示す図表である。
【図７】図４に示した管理装置が備える領域管理データベースの構成例を示す図表である
【図８】図４に示した管理装置に送信する作業者の個人情報の構成例を示す図表である。
【図９】図４に示した管理装置に送信する作業を行う領域情報の構成例を示す図表である。
【符号の説明】
【０１３１】
１０  作業現場領域
１３  作業者用ゲート（第１ゲート）
１４  作業者用出入口端末装置（第１端末装置）
１６  車両用ゲート（第１ゲート）
１７  車両用出入口端末装置（第１端末装置）
２０  機器保管領域（作業領域）
２３  機器保管領域ゲート（第２ゲート）
２４  機器保管領域端末装置（第２端末装置）
３２  事務領域（作業領域）
３４  事務領域ゲート（第２ゲート）
３５  事務領域端末装置（第２端末装置）
４２  図面作成領域（作業領域）
４４  図面作成領域ゲート（第２ゲート）
４５  図面作成領域端末装置（第２端末装置）
５２  図面管理領域（作業領域）
５４  図面管理領域ゲート（第２ゲート）
５５  図面管理領域端末装置（第２端末装置）
６２  管理装置載置領域（作業領域）
６４  管理装置載置領域ゲート（第２ゲート）
６５  管理装置載置領域端末装置
７０  施主領域（作業領域）
７３  施主領域ゲート（第２ゲート）
７４  第４端末装置
８２  施主事務領域（作業領域）
８４  施主事務領域ゲート（第２ゲート）
８５  施主事務領域端末装置（第２端末装置）
１０２  第１カードリーダ手段（第１読取手段）
１１２  第２カードリーダ手段（第２読取手段）
１２０  管理装置
１４２  第２情報管理部（第２生成手段）
１４３  第３情報管理部（第１生成手段）
【図１】
2008112219.tif 000003
【図２】
2008112219.tif 000004
【図３】
2008112219.tif 000005
【図４】
2008112219.tif 000006
【図５】
2008112219.tif 000007
【図６】
2008112219.tif 000008
【図７】
2008112219.tif 000009
【図８】
2008112219.tif 000010
【図９】
2008112219.tif 000011